(57)【特許請求の範囲】
【請求項１】
ポンプと第一三方向弁と第二三方向弁と第一補助管部材と第二補助管部材とを備え、前記第一三方向弁と第二三方向弁とは各々第一連結口と第二連結口と第三連結口とを有するとともにこれらの三方向弁は操作によって選択的に前記第一連結口と第二連結口とを連通させたり又は前記第一連結口と第三連結口とを連通させることができるものであり、前記ポンプの吸液口に第一三方向弁の第一連結口を繋げるとともに前記ポンプの送液口に第二三方向弁の第一連結口を繋げ、前記第一三方向弁の第二連結口と前記第二三方向弁の第二連結口とを第一補助管部材によって繋げ、前記第一三方向弁の第三連結口と前記第二三方向弁の第三連結口とを第二補助管部材によって繋げ、前記第一補助管の途中に吸液管部材を繋げ、前記第二補助管に送液管部材を繋げたことを特徴とする送液回収装置。
【発明の詳細な説明】
【０００１】
【産業上の利用分野】
この発明は送液回収装置に関し、果樹園等において薬液散布、散水等を行うとともにこれらの作業の終了した後、送液ホース（送液管）中に残留した薬液、水等を回収する際に使用されるものである。
【０００２】
【従来の技術】
従来、果樹園等においては、ポンプの作動によって送液ホース（送液管）を介して薬液、水を供給し、果樹に散布したり、散水したりしていた。
【０００３】
【発明が解決しようとする課題】
しかしながら、かかる従来のポンプにあっては、ポンプの作動を停止することによって薬液散布、散水等を終了するようにしていたため、これらの作業の終了後において前記送液ホース（送液管）内に薬液、水が残留し、この結果、後片付けの際に残留した薬液や水が零れ出して周辺を汚したり、また、薬液や水の無駄が生じるという不都合を有した。
【０００４】
この発明の課題は前記不都合を解消することである。
【０００５】
【課題を解決するための手段】
この発明に係る送液回収装置においては、ポンプと第一三方向弁と第二三方向弁と第一補助管部材と第二補助管部材とを備え、前記第一三方向弁と第二三方向弁とは各々第一連結口と第二連結口と第三連結口とを有するとともにこれらの三方向弁は操作によって選択的に前記第一連結口と第二連結口とを連通させたり又は前記第一連結口と第三連結口とを連通させることができるものであり、前記ポンプの吸液口に第一三方向弁の第一連結口を繋げるとともに前記ポンプの送液口に第二三方向弁の第一連結口を繋げ、前記第一三方向弁の第二連結口と前記第二三方向弁の第二連結口とを第一補助管部材によって繋げ、前記第一三方向弁の第三連結口と前記第二三方向弁の第三連結口とを第二補助管部材によって繋げ、前記第一補助管の途中に吸液管部材を繋げ、前記第二補助管に送液管部材を繋げたため、
【０００６】
前記第一三方向弁を操作して第一連結口と第二連結口とを連通させるとともに前記第二三方向弁を操作して第一連結口と第三連結口とを連通させた状態で前記ポンプを作動させれば、当該ポンプが前記吸水管部材から第一補助管を介して貯留槽から薬液、水等を吸入し、第二補助管を介して前記送液管部材により適宜個所に送液することができる。一方、前記第一三方向弁を操作して第一連結口と第三連結口とを連通させるとともに前記第二三方向弁を操作して第一連結口と第二連結口とを連通させた状態で前記ポンプを作動させれば、当該ポンプが前記送液管部材中に残留した薬液、水等を第二補助管を介して吸入し、第一補助管を介して前記吸水管部材により前記貯留槽に送液することができる。
【０００７】
【実施例】
図１はこの発明に係る送液回収装置の説明図である。
【０００８】
図１において、Ｍは送液回収装置、10はこの送液回収装置のポンプである。このポンプ10は液体を圧送できるものであれば、渦巻きポンプでもインペラ型ポンプでもよい。
【０００９】
20は第一三方向弁であり、第一連結口21と第二連結口22と第三連結口23を有し、操作レバー24を揺動させることによって選択的に前記第一連結口21と第二連結口22とを連通させたり又は前記第一連結口21と第三連結口23とを連通させることができる。この第一三方向弁20の第一連結口21は連結具211 を介して前記ポンプ10の吸液口11に繋がれている。
【００１０】
一方、30は第二三方向弁であり、第一連結口31と第二連結口32と第三連結口33を有し、操作レバー34を揺動させることによって選択的に前記第一連結口31と第二連結口32とを連通させたり又は前記第一連結口31と第三連結口33とを連通させることができる。この第二三方向弁30の第一連結口31は連結具311 を介して前記ポンプ10の送液口12に繋がれている。
【００１１】
51は第一エルボー継ぎ手であり、連結具511 を介して前記第二三方向弁30の第二連結口32に繋がれている。52は塩ビパイプ（又は耐圧ホース）であり、その一端が連結具521 を介して前記第一エルボー継ぎ手51に繋がれている。53は第二エルボー継ぎ手であり、連結具531 を介して前記塩ビパイプ（又は耐圧ホース）52の他端に繋がれている。54はＴ字継ぎ手であり、連結具541,542 を介して、前記第二エルボー継ぎ手53と前記第一三方向弁20の第二連結口22との間に繋がれている。なお、543 はＴ字継ぎ手54の枝管部である。55は吸液管又は吸液ホース（この発明の「吸液管部材」に相当する）であり、Ｔ字継ぎ手54の枝管部543 に連結具551 を介して繋がれている。この吸液管又は吸液ホース55は貯留層56に繋がれている。この貯留層56には前記ポンプ10によって送液される薬液，水等が貯留されている。
【００１２】
なお、前記第一エルボー継ぎ手51と前記塩ビパイプ（又は耐圧ホース）52と前記第二エルボー継ぎ手53と前記Ｔ字継ぎ手54とがこの発明の「第一補助管部材」に相当する）。
【００１３】
61は耐圧ホースであり、その一端が連結具611 を介して前記第一三方向弁20の第三連結口23に繋がれている。この耐圧ホース61の代わりに塩ビパイプを使用することもできる。62はＴ字継ぎ手であり、連結具621,622 を介して、前記耐圧ホース61の他端と前記第二三方向弁30の第三連結口33との間に繋がれている。なお、623 はＴ字継ぎ手62の枝管部である。63は送液管又は送液ホース（この発明の「送液管部材」に相当する）であり、Ｔ字継ぎ手62の枝管部623 に連結具631 を介して繋がれている。この送液管又は送液ホース63は果樹園内のスプリンクラー64に繋がれている。このスプリンクラー64は前記ポンプ10によって送液されてきた薬液を蜜柑の樹木65,65 等に散布したり、散水したりする。
【００１４】
なお、前記耐圧ホース61と前記Ｔ字継ぎ手62とがこの発明の「第二補助管部材」に相当する）。
【００１５】
次に、この送液回収装置Ｍの作動について説明する。
【００１６】
(1).送液をする場合には、第一三方向弁20におてい操作レバー24を揺動することにより、前記第一連結口21と第二連結口22とを連通させ、且つ、第二三方向弁30において操作レバー34を揺動することにより、前記第一連結口31と第三連結口33とを連通させる。この状態で、前記ポンプ10を作動させると、前記ポンプ10が吸液管又は吸液ホース55およびＴ字継ぎ手54を介して貯留層56薬液、水等を吸入し、Ｔ字継ぎ手62を介して送液管又は送液ホース63によって果樹園鳴内のスプリンクラー64に送液される。このスプリンクラー64は送られてきた薬液を蜜柑の樹木65,65 等に散布したり、散水したりする。
【００１７】
(2).送液を終了した後、送液管又は送液ホース63内に残留した薬液、水を回収する場合には、まず、送液状態で作動しているポンプ10の作動を停止する。そして、第一三方向弁20におてい操作レバー24を揺動することにより、前記第一連結口21と第三連結口23とを連通させ、且つ、第二三方向弁30において操作レバー34を揺動することにより、前記第一連結口31と第二連結口32とを連通させる。この状態で、前記ポンプ10を作動させると、前記ポンプ10がＴ字継ぎ手62と耐圧ホース61とを介して送液管又は送液ホース63内の残留薬液、水等を吸入し、第一エルボー継ぎ手51と前記塩ビパイプ（又は耐圧ホース）52と前記第二エルボー継ぎ手53と前記Ｔ字継ぎ手54とを介して、吸液管又は吸液ホース55に送液し、最終的には前記貯留層56に薬液、水等を戻すものである。
【００１８】
なお、送液を終了した後において、送液管又は送液ホース63内に残留した薬液、水を回収する場合に、ポンプ10の作動したままで、第一三方向弁20および第二三方向弁30を上記のように操作することもできる。
【００１９】
【発明の効果】
この発明に係る送液回収装置は、ポンプと第一三方向弁と第二三方向弁と第一補助管部材と第二補助管部材とを備え、前記第一三方向弁と第二三方向弁とは各々第一連結口と第二連結口と第三連結口とを有するとともにこれらの三方向弁は操作によって選択的に前記第一連結口と第二連結口とを連通させたり又は前記第一連結口と第三連結口とを連通させることができるものであり、前記ポンプの吸液口に第一三方向弁の第一連結口を繋げるとともに前記ポンプの送液口に第二三方向弁の第一連結口を繋げ、前記第一三方向弁の第二連結口と前記第二三方向弁の第二連結口とを第一補助管部材によって繋げ、前記第一三方向弁の第三連結口と前記第二三方向弁の第三連結口とを第二補助管部材によって繋げ、前記第一補助管の途中に吸水管部材を繋げ、前記第二補助管に送液管部材を繋げたため、
【００２０】
前記第一三方向弁を操作して第一連結口と第二連結口とを連通させるとともに前記第二三方向弁を操作して第一連結口と第三連結口とを連通させた状態で前記ポンプを作動させれば、前記吸水管部材から第一補助管を介して貯留槽から薬液、水等を吸入し、第二補助管を介して前記送液管部材により適宜個所に送液することができる。一方、前記第一三方向弁を操作して第一連結口と第三連結口とを連通させるとともに前記第二三方向弁を操作して第一連結口と第二連結口とを連通させた状態で前記ポンプを作動させれば、前記送液管部材中に残留した薬液、水等を第二補助管を介して吸入し、第一補助管を介して前記吸水管部材により前記貯留槽に送液することができる。
【００２１】
よって、この送液回収装置を使用すれば、送液後に送液管部材に残留した薬液・水等を貯留槽に回収することができるため、後片付けの際に残留した薬液や水が零れ出して周辺を汚すことがないとともに薬液や水等の無駄を防止することができる。
【図面の簡単な説明】
【図１】この発明に係る送液回収装置の説明図である。
【符号の説明】
Ｍ  …  送液回収装置
10  …  ポンプ
11  …  吸液口（ポンプの）
12  …  送液口（ポンプの）
20  …  第一三方向弁
30  …  第二三方向弁
21,31 …  第一連結口
22,32 …  第二連結口
23,33 …  第三連結口
51  …  第一エルボー継ぎ手（第一補助管部材）
52  …  塩ビパイプ（又は耐圧ホース）（第一補助管部材）
53  …  第二エルボー継ぎ手（第一補助管部材）
54  …  Ｔ字継ぎ手（第一補助管部材）
55  …  吸液管又は吸液ホース（吸液管部材）
61  …  耐圧ホース（第二補助管部材）
62  …  Ｔ字継ぎ手（第二補助管部材）
63  …  送液管又は送液ホース（送液管部材）
【図１】
0003790855.tif 000002